(57)【要約】【課題】薄型化の傾向にあり半端な長さ寸法の器具本体を有する照明器具に対しても、容易に、輝度ムラを抑えることが可能な照明器具を提供する。【解決手段】この照明器具１００は、所定の長さ寸法に規格化された複数の直管ランプ２と、これらの直管ランプ２を少なくとも並列に配列した状態で収容する略直方体形状の器具本体１とを備えている。器具本体１は、複数の直管ランプ２を支持するとともに、当該直管ランプ２の照明方向である正面側に開口１１ｃを有するハウジング１１と、このハウジング１１の開口１１ｃに設けられる半透明のパネル１２とを含んでいる。ハウジング１１は、直管ランプ２の長さ方向の端部と、この端部に臨む当該ハウジング１１の側面１１ｂとの間に所定のスペースＳが存在するサイズに形成されている。上記スペースＳには、直管ランプ２の延在方向と略直交する方向に延びる直管ランプ２と同一規格の補助ランプ３が配設されている。【選択図】図２
2009016309.tif 000002
【特許請求の範囲】
【請求項１】
所定の長さ寸法に規格化された複数の直管状の第１ランプと、これらの第１ランプを少なくとも並列に配列した状態で収容する略直方体形状の器具本体とを備えた照明器具であって、
前記器具本体は、前記複数の第１ランプを支持するとともに、当該第１ランプの照明方向である正面側に開口を有するハウジングと、このハウジングの開口に設けられる半透明のパネルとを含み、
前記ハウジングは、第１ランプの長さ方向の端部とこの端部に臨む当該ハウジングの側面との間に所定のスペースが存在するサイズに形成されており、
前記スペースには、第１ランプの延在方向と略直交する方向に延びる当該第１ランプと同一規格の直管状の第２ランプが配設されていることを特徴とする照明器具。
【請求項２】
第２ランプは、その胴部に第１ランプの端部が近接するような位置に配されていることを特徴とする請求項１に記載の照明器具。
【請求項３】
第１ランプおよび第２ランプを背面側から囲む反射板を設けるとともに、
ハウジング内の隅部に補助反射板を設けたことを特徴とする請求項１または２に記載の照明器具。
【請求項４】
第１ランプおよび第２ランプの正面側に輝度調整板を設けたことを特徴とする請求項１〜３のいずれか一項に記載の照明器具。
【発明の詳細な説明】
【技術分野】
【０００１】
本発明は、パネル付きの照明器具に関するものである。
【背景技術】
【０００２】
従来から、長さ寸法が規格化された複数の直管ランプを、略直方体形状の器具本体内に収容して構成される照明器具が知られている（特許文献１）。このような照明器具では、複数の直管ランプは、各ランプの長さ方向が揃った状態で、かつ特定の並び方で配列された状態で器具本体内に収容されている。なお、上記特定の並び方には、直管ランプの端部同士が長さ方向に突き合うように直列（縦並び）に配列される方法や、直管ランプの端部が長さ方向と直交する方向に一列に並ぶように並列（横並び）に配列される方法があるが、ここでは、前記並列配列を少なくとも含むものとする。
【０００３】
ところで、近年、上記器具本体は、照明器具の設置場所等に合わせて様々なサイズのものが製造されており、それらの中には、直管ランプの規格長に対して半端な長さのもの、つまり直管ランプを上記特定の並び方で配列して収容した際に、器具本体内の長さ方向の端部に余剰なスペースが存在するものも多々ある。例えば、直管ランプの長さが約１２００ｍｍの場合には、器具本体の長さが約１２５０ｍｍであるのが好適であると言われているが、近年、約１５００ｍｍの長さの器具本体も製造されている。
【０００４】
このような器具本体に規格長の直管ランプを上述の並び方で配列して収容した場合、器具本体の長さ方向の端部には直管ランプが位置しないことになる。これにより、外方から器具本体正面側に配されたパネルを目視した際に、パネルの端部がその中央部に比べて暗く見える、すなわちパネルに明暗の輝度ムラが生じるため、当該照明器具の見栄えが悪くなる。
【０００５】
このような不都合に対して、従来では、器具本体内の直管ランプ周囲に配される反射板の形状や位置等を調整することによって上記輝度ムラを抑えていた。
【特許文献１】特開平６−３０２２０７号公報
【発明の開示】
【発明が解決しようとする課題】
【０００６】
しかしながら、近年では、照明器具の薄型化によって、パネルの輝度ムラがより顕著になる方向にあり、上述したような反射板の形状や位置を調整する方法では、厚さスペースの関係からその調整自由度が大きく制限されることもあって、輝度ムラを抑制するためにさらに高度な調整技術が必要となる。これにより、輝度ムラの抑制が次第に困難になってきた。
【０００７】
本発明は、上記のような課題を解決するためになされたものであり、薄型化の傾向にあり半端な長さ寸法の器具本体を有する照明器具に対しても、容易に、輝度ムラを抑えることが可能な照明器具を提供することを目的とする。
【課題を解決するための手段】
【０００８】
上記目的を達成するにあたって、本願発明者らは、反射板の調整によってパネルの輝度ムラを制御するのではなく、上記余剰スペースを有効に利用し、当該スペースにランプを効率良く配置することによって上記輝度ムラを制御することを追求した。すなわち、従来では、反射板の形状や位置を調整することによってパネルの輝度ムラを抑制することが可能であるが、照明器具が薄くなるにつれ、反射板の調整自由度が制限されるため、輝度ムラの制御が困難になっていた。これに対して、ランプの配置を工夫する方法であれば、照明器具が薄くなってもランプの配置の自由度が大きく制限されることがないので、パネルの輝度ムラの調整を容易に行えるものである。
【０００９】
このような観点からなされた請求項１の発明は、所定の長さ寸法に規格化された複数の直管状の第１ランプと、これらの第１ランプを少なくとも並列に配列した状態で収容する略直方体形状の器具本体とを備えた照明器具であって、前記器具本体は、前記複数の第１ランプを支持するとともに、当該第１ランプの照明方向である正面側に開口を有するハウジングと、このハウジングの開口に設けられる半透明のパネルとを含み、前記ハウジングは、第１ランプの長さ方向の端部とこの端部に臨む当該ハウジングの側面との間に所定のスペースが存在するサイズに形成されており、前記スペースには、第１ランプの延在方向と略直交する方向に延びる当該第１ランプと同一規格の直管状の第２ランプが配設されていることを特徴とするものである。
【００１０】
なお、本発明での「並列」とは、各直管ランプの長さ方向が揃っている状態で、かつ、各直管ランプの端部が長さ方向と直交する方向に一列に並んでいる態様を言う。
【００１１】
請求項２の発明は、請求項１に記載の照明器具において、第２ランプは、その胴部に第１ランプの端部が近接するような位置に配されていることを特徴とするものである。
【００１２】
請求項３の発明は、請求項１または２に記載の照明器具において、第１ランプおよび第２ランプを背面側から囲む反射板を設けるとともに、ハウジング内の隅部に補助反射板を設けたことを特徴とするものである。
【００１３】
請求項４の発明は、請求項１〜３のいずれか一項に記載の照明器具において、第１ランプおよび第２ランプの正面側に輝度調整板を設けたことを特徴とするものである。
【発明の効果】
【００１４】
請求項１の発明によれば、ハウジング内の長さ方向の端部に存在する余剰なスペースを有効に利用し、当該スペースに第１ランプに直交する姿勢で第２ランプを配したので、パネルの中央部に対応する位置に第１ランプが設けられ、パネルの端部に対応する位置に第２ランプが設けられることになる。これにより、パネルの中央部が第１ランプで照らされるとともに、パネルの端部が第２ランプで照らされるので、パネルの中央部の輝度と端部の輝度とに差が生じにくくなる。従って、従来のように高度な技術を要することなく、ハウジング内の余剰なスペースに第１ランプと直交する姿勢で第２ランプを配するという簡単な構成で、容易に、輝度ムラを抑えることができる。
【００１５】
また、第２ランプが第１ランプと同一規格であることから、当該照明器具に使用するランプを統一することができるので、コストを低く抑えつつ上記効果を得ることができる。
【００１６】
請求項２の発明によれば、第１ランプの端部が当該第１ランプの長さ方向と直交方向に一列に並んでいる領域の近傍に、第２ランプの胴部が位置することになる。ここで、第１ランプの端部は発光部位ではなく、また、当該端部に接続されるソケットがハウジング側に設けられていることから、上記第１ランプの端部が並ぶ領域は比較的暗くなっているが、上記のように第２ランプを配置したので、前記領域を第２ランプで明るく照らすことができる。これにより、輝度ムラをより抑えることができる。
【００１７】
請求項３の発明によれば、反射板によりランプの光を乱反射して拡散させた状態でパネルに向かわせることができるので、パネルの輝度ムラをより一層抑えることができる。また、ハウジング内の隅部に補助反射板を設けることによって、第１ランプおよび第２ランプのいずれも配されていないハウジング内の隅部に向けて進行する光を補助反射板で反射してパネルに向かわせることができるので、パネルの隅部分に暗部が発生するのを抑えることができる。これにより、パネルの輝度ムラをさらに抑えることができる。
【００１８】
請求項４の発明によれば、ランプからパネルに直接的に向かう光の量を輝度調整板によって調整することができるので、パネルに過度に明るい部分が形成されるのを抑えることができる。これにより、輝度ムラをさらに一層抑えることができる。
【発明を実施するための最良の形態】
【００１９】
以下、本発明の実施形態を図面に基づいて説明する。
【００２０】
図１は、本発明の一実施形態による照明器具の全体構成を概略的に示した分解斜視図であり、図２は、図１に示した照明器具の内部構成を示した正面図である。また、図３は、照明器具の内部構成を示した断面図であり、図４は、補助反射板の構成を示した斜視図である。まず、図１および図２を参照して、本発明の一実施形態による照明器具１００の全体構成について説明する。
【００２１】
本実施形態の照明器具１００は、例えば室内の天井に設置され、該室内を照明するためのものである。この照明器具１００は、図１に示すように、略直方体形状の器具本体１を備えており、この器具本体１に、直管ランプ（第１ランプ）２と、補助ランプ（第２ランプ）３と、反射板４および５と、輝度調整板６と、補助反射板７とを内設することにより構成されている。
【００２２】
直管ランプ２は、所定の長さ寸法（一例として約１２００ｍｍ）に規格化されている。本実施形態では、４本の直管ランプ２が、所定間隔を隔てて並列に配列された状態で器具本体１内に収容されている。なお、上記した並列とは、図２に示すように、直管ランプ２の長さ方向が揃った状態で、かつ、各直管ランプ２の端部が長さ方向と直交方向に一列に並んだ状態を言う。
【００２３】
器具本体１は、図１に示すように、ハウジング１１と、パネル１２とを含んでいる。
【００２４】
ハウジング１１は、例えば室内の天井に取付けられる取付け面１１ａ（図３参照）と、この取付け面１１ａの４辺から各々立ち下がる側面１１ｂとにより構成されており、当該照明器具１００の照明方向である正面側（図１では下側）に開口１１ｃを有する形状に形成されている。
【００２５】
ハウジング１１の取付け面１１ａには、その適所に複数のソケット１３が配設されている。これらのソケット１３は、ランプ２，３の長さ方向の端部に接続されるものであり、ランプ２，３を上記配列で支持するとともに当該ランプ２，３に電力を供給するための機能を有している。
【００２６】
また、パネル１２は、半透明であり、ハウジング１１の開口１１ｃに取付けられている。
【００２７】
本実施形態では、ハウジング１１は、正面視で略正方形に形成されており、直管ランプ２の規格長（約１２００ｍｍ）に対して半端な長さ、つまり直管ランプ２を上記配列で収容した際に、直管ランプ２の長さ方向の両端部と、その両端部に各々臨む一対の側面１１ｂとの間に余剰なスペースＳが存在する一辺が例えば約１５００ｍｍのサイズに形成されている。また、ハウジング１１に合わせてパネル１２も直管ランプ２の規格長に対して半端な長さを有するようになっている。
【００２８】
そして、本実施形態では、前記補助ランプ３が、上記各余剰スペースに、直管ランプ２の延在方向と略直交する方向に延びる姿勢で各々配設されている。この２本の補助ランプ３は、直管ランプ２と同一規格のランプであり、本実施形態では約１２００ｍｍの長さ寸法を有している。また、補助ランプ３は、その発光胴部３１に４本の直管ランプ２の各一端部が近接するように配されている。
【００２９】
反射板４は、４本の直管ランプ２の各々をその背面から両側面にかけて取り囲むような形状に形成されており、直管ランプ２からの光を乱反射して拡散させた状態でパネル１２に向かわせるために設けられている。この反射板４は、各直管ランプ２の背面側に配される４つの水平面４１と、各直管ランプ２の両側面側に配される８つの傾斜面４２とにより構成されている。両端に位置する各傾斜面４２は、その傾斜度合いが他の傾斜面４２に比べてやや大きくなっている。なお、反射板４は、図示は省略するが、複数の反射部材を連結させることにより構成されている。
【００３０】
反射板５は、各補助ランプ３をその背面から側面にかけて取り囲むような略Ｌ字状に形成されており、補助ランプ３からの光を乱反射して拡散させた状態でパネル１２の長さ方向の端部近傍に向かわせるために設けられている。この反射板５は、補助ランプ３の背面側に配される水平面５１と、補助ランプ３の側面側に配される傾斜面５２とにより構成されている。
【００３１】
輝度調整板６は、４本の直管ランプ２および２本の補助ランプ３の正面側にランプ２，３の全長に亘るように各々設けられている。輝度調整板６は、ランプ２，３からの光が直接的にパネル１２に向かうのを抑制するために設けられている。このような輝度調整板６としては、例えば多数の小孔を有するパンチングメタルが挙げられる。上記のように反射板４，５と輝度調整板６とによって、ランプ２，３のシルエットがパネル１２に鮮明に投影されるのを防いでいる。
【００３２】
補助反射板７は、ハウジング１１の４つの隅部１１ｄにそれぞれ設けられている。各補助反射板７は、図４に示すように、取付け面１１ａに対して傾斜する傾斜面７１と、この傾斜面７１の２つの辺に連設され、ハウジング１１の側面１１ｂに各々取付けられる２つの垂直面７２とを有している。傾斜面７１は、ハウジング１１の隅部１１ｄに向けて進行するランプ２，３の光をパネル１２側に効率良く反射することが可能な角度に傾斜している。
【００３３】
このように構成された照明器具１００では、ハウジング１１内の長さ方向の両端の余剰なスペースＳに補助ランプ３を各々配し、さらにハウジング１１内の４つの隅部１１ｄに補助反射板７を各々設けることによって、パネル１２の長さ方向の両端部分および４つの隅部分の明るさが、当該パネル１２の中央部分の明るさとほぼ等しくなるようにしており、これによってパネル１２に輝度ムラが生じにくくなっている。
【００３４】
本実施形態では、上記のように、ハウジング１１内の長さ方向の両端部に存在する余剰なスペースＳを有効に利用し、当該スペースＳに直管ランプ２に直交する姿勢で補助ランプ３を配したので、パネル１２の中央部に対応する位置に直管ランプ２が設けられ、パネル１２の端部に対応する位置に補助ランプ３が各々設けられることになる。これにより、パネル１２の中央部が直管ランプ２で照らされるとともに、パネル１２の端部が補助ランプ３で照らされるので、パネル１２の中央部の輝度と端部の輝度とに差が生じにくくなる。従って、従来のように高度な技術を要することなく、ハウジング１１内の余剰なスペースＳに直管ランプ２と直交する姿勢で補助ランプ３を配するという簡単な構成で、容易に、輝度ムラを抑えることができる。
【００３５】
また、補助ランプ３が直管ランプ２と同一規格であることから、当該照明器具１００に使用するランプを統一することができるので、コストを低く抑えつつ上記効果を得ることができる。
【００３６】
また、本実施形態の照明器具１００によれば、直管ランプ２の端部が当該直管ランプ２の長さ方向と直交方向に一列に並んでいる領域の近傍に、補助ランプ３の発光胴部３１が位置することになる。ここで、直管ランプ２の端部は発光部位ではなく、また、当該端部に接続されるソケット１３がハウジング１１側に設けられていることから、上記直管ランプ２の端部が並ぶ領域は比較的暗くなっているが、上記のように補助ランプ３を配置したので、前記領域を補助ランプ３で明るく照らすことができる。これにより、輝度ムラをより抑えることができる。
【００３７】
また、本実施形態の照明器具１００によれば、反射板４，５によりランプ２，３の光を乱反射して拡散させた状態でパネル１２に向かわせることができるので、パネル１２の輝度ムラをより一層抑えることができる。
【００３８】
また、ハウジング１１内の隅部１１ｄに補助反射板７を設けることによって、直管ランプ２および補助ランプ３のいずれも配されていないハウジング１１内の隅部１１ｄに向けて進行する光を補助反射板７で反射してパネル１２に向かわせることができるので、パネル１２の隅部分に暗部が発生するのを抑えることができる。これにより、パネル１２の輝度ムラをさらに抑えることができる。
【００３９】
また、本実施形態の照明器具１００によれば、ランプ２，３からパネル１２に直接的に向かう光を量を輝度調整板６によって調整することができるので、パネル１２に過度に明るい部分が形成されるのを抑えることができる。これにより、輝度ムラをさらに一層抑えることができる。
【００４０】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４１】
例えば、上記実施形態では、４本の直管ランプ２を並列に配列した状態でハウジング１１内に収容し、さらに、ハウジング１１内の両端の余剰スペースＳに直管ランプ２と直交方向に延びる補助ランプ３を各々１本ずつ設ける例について示したが、これに限らず、図５に示す変形例１のように、直管ランプ２を並列に４列および直列に２列の計８本配列した状態でハウジング２１１内に収容し、さらに、ハウジング２１１内の両端の余剰スペースに補助ランプ３を各々１本ずつ設けることによって構成される照明器具２００であってもよい。
【００４２】
また、図６に示す変形例２のように、直管ランプ２を並列に４列および直列に２列の計８本配列した状態でハウジング３１１内に収容し、さらに、ハウジング３１１内の両端の余剰スペースに補助ランプ３を各々並列に２本ずつ設けることによって構成される照明器具３００であってもよい。この構成は、ハウジング３１１の長さ寸法が、直管ランプ３の規格長よりもかなり長く、余剰スペースが広い場合等に好適に採用されるものである。もちろん、ハウジングの長さ（余剰スペースの広さ）に合わせて補助ランプ３の数を適宜変更することが可能であるし、直管ランプ２の並列および直列配置の本数も上記の限りでない。
【００４３】
また、図５および図６に示す各変形例において、直列配置された直管ランプ２の間に、当該直管ランプ２と直交するように補助ランプを配しても良い。このようにすれば、比較的暗い直列の直管ランプ２間を補助ランプで明るく照らすことができるので、輝度ムラをさらに抑えることができる。
【００４４】
なお、上記変形例２の応用例（図７参照）として、直列配置された２本のランプ２（３）間の暗部を解消すべく、ランプ２（３）の端部同士が重なるように配置された照明器具４００も考えられる。
【図面の簡単な説明】
【００４５】
【図１】本発明の一実施形態による照明器具の全体構成を概略的に示した分解斜視図である。
【図２】図１に示した照明器具の内部構成を示した正面図である。
【図３】照明器具の内部構成を示した断面図である。
【図４】補助反射板の構成を示した斜視図である。
【図５】本発明の変形例１による照明器具のランプ配置を説明するための概略平面図である。
【図６】本発明の変形例２による照明器具のランプ配置を説明するための概略平面図である。
【図７】変形例２の応用例による照明器具のランプ配置を説明するための概略平面図である。
【符号の説明】
【００４６】
１  器具本体
２  直管ランプ（第１ランプ）
３  補助ランプ（第２ランプ）
４，５  反射板
６  輝度調整板
７  補助反射板
１１，２１１，３１１  ハウジング
１１ｂ  側面
１１ｃ  開口
１２  パネル
３１  発光胴部（胴部）
１００，２００，３００  照明器具
Ｓ  スペース
【図１】
2009016309.tif 000003
【図２】
2009016309.tif 000004
【図３】
2009016309.tif 000005
【図４】
2009016309.tif 000006
【図５】
2009016309.tif 000007
【図６】
2009016309.tif 000008
【図７】
2009016309.tif 000009